(57)【特許請求の範囲】
【請求項１】
乗客コンベアの踏板の取付軸に連結する連結部材と、この連結部材に支持されて前記踏板の返り側の下方に配設されたオイルパンに接触する接触部材とを、少なくとも備え、前記踏板を走行させることで、前記オイルパン上を前記接触部材が摺動して前記オイルパン上の塵埃を掃き集める乗客コンベア用オイルパン清掃装置において、
前記接触部材を、前記連結部材に支持された中央接触部と、この中央接触部の右側に延設する右接触部と、前記中央接触部の左側に延設する左接触部とに、３分割すると共に、この右接触部及び左接触部を、前記オイルパンの上面形状に合わせて上下に回動するように前記中央接触部に回動可能に設けたことを特徴とする乗客コンベア用オイルパン清掃装置。
【請求項２】
前記右接触部は、前記中央接触部若しくは前記右接触部に固定された右側軸受体に設けた右側軸を、前記中央接触部若しくは前記右接触部に設けた孔に挿入し、その右側軸に右ナットを螺合させることで、前記右側軸を回転軸として回動可能に設け、しかも、前記左接触部は、前記中央接触部若しくは前記左接触部に固定された左側軸受体に設けた左側軸を、前記中央接触部若しくは前記左接触部に設けた孔に挿入し、その左側軸に左ナットを螺合させることで、前記左側軸を回転軸として回動可能に設けることを特徴とする請求項１記載の乗客コンベア用オイルパン清掃装置。
【請求項３】
前記接触部材の前記右接触部、前記中央接触部及び左接触部のいずれにも、前記オイルパンとの間隔を一定に保持するローラーを設けたことを特徴とする請求項１若しくは２記載の乗客コンベア用オイルパン清掃装置。
【発明の詳細な説明】
【技術分野】
【０００１】
本発明は、乗客コンベア用オイルパン清掃装置に関するものである。
【背景技術】
【０００２】
一般に、乗客コンベアの一例であるエスカレーターは、図１０に示すように、本体フレーム２０と、この本体フレーム２０の上部機械室２０Ａに設けられたドライビングマシン２１と、このドライビングマシン２１の駆動回転がドライビングチェーン２２を介して伝達される上部駆動用踏段チェーンスプロケット２３と、本体フレーム２０の下部機械室２０Ｂに設けた従動チェーンスプロケット２４と、これらチェーンスプロケット２３、２４に巻き掛けられる左右一対の踏段チェーン２５と、この踏段チェーン２５に無端状に連結された複数個の踏段２６と、これら複数個の踏段２６の左右に立設される欄干２７と、この欄干２７の上部に設けられる移動手摺り２８と、この移動手摺り２８を移動させるための移動手摺り駆動装置２９と、複数個の踏段２６の返り側の下方に配設されたオイルパン３０とを備えており、上部駆動用踏段チェーンスプロケット２３の回転に同期して複数個の踏段２６が所定方向に移動するように構成されている。しかも、このエスカレーターの左右一対の踏段チェーン２５間には、図１１に示すように、一定の間隔で複数個の取付軸３１が軸支されている。踏段２６は、図１１に示す取付軸３１に設けた軸受３２にボルトを用いて固定される。
【０００３】
上述のエスカレーターのオイルパン３０上を清掃する装置としては、踏段２６の取付軸３１に連結する連結部材と、この連結部材に支持されてオイルパン３０に接触する接触部材とを備えた乗客コンベア用オイルパン清掃装置を、踏段２６とオイルパン３０との間に設置して、踏段２６を走行させることにより、オイルパン３０上の塵埃を接触部材で掃き集めるようにしたものが、知られていた（例えば、特許文献１参照）。
【特許文献１】特開２００２−２００７２号公報（段落番号００１２〜段落番号００１４、図１〜図２及び図１８）
【発明の開示】
【発明が解決しようとする課題】
【０００４】
しかしながら、上記特開２００２−２００７２号公報号公報などに記載された乗客コンベア用オイルパン清掃装置の接触部材（清掃部）は、いずれも、オイルパンの上面形状の凹凸に追随して回動するようになっていないために、接触部材（清掃部）とオイルパンとの間に大きな隙間ができてしまうものであった。すなわち、従来のオイルパンは、図１２に示すように、全体が凸状に湾曲した凸曲面３０Ａとなっていたり、あるいは、図１３に示すように、全体が凹状に湾曲した凹曲面３０Ｂとなっていたりするために、上記特開２００２−２００７２号公報に記載された乗客コンベア用オイルパン清掃装置の接触部材３２を凸曲面３０Ａ上あるいは凹曲面３０Ｂ上に沿って摺動させても、その接触部材３２と凸曲面３０Ａあるいは凹曲面３０Ｂとの間に大きな隙間Ｇ１あるいは隙間Ｇ２が形成されてしまう。そのために、その大きな隙間Ｇ１、Ｇ２から、接触部材３２によって掃き集めた塵埃が取りこぼされてしまうので、その取りこぼした塵埃は、手作業で集めなければならないという問題があった。
【０００５】
本発明は、上述した従来技術における実状からなされたもので、その目的は、オイルパンの上面が、凸曲面あるいは凹曲面になっていても、掃き集めた塵埃の取りこぼしを阻止し得る乗客コンベア用オイルパン清掃装置を提供することにある。
【課題を解決するための手段】
【０００６】
上記目的を達成するために、本発明は、乗客コンベアの踏板の取付軸に連結する連結部材と、この連結部材に支持されて前記踏板の返り側の下方に配設されたオイルパンに接触する接触部材とを、少なくとも備え、前記踏板を走行させることで、前記オイルパン上を前記接触部材が摺動して前記オイルパン上の塵埃を掃き集める乗客コンベア用オイルパン清掃装置において、前記接触部材を、前記連結部材に支持された中央接触部と、この中央接触部の右側に延設する右接触部と、前記中央接触部の左側に延設する左接触部とに、３分割すると共に、この右接触部及び左接触部を、前記オイルパンの上面形状に合わせて上下に回動するように前記中央接触部に回動可能に設けたことを特徴としている。なお、ここで、踏板とは、エスカレーターの踏段や動く歩道のパレットなどの踏面も含まれる。
【０００７】
さらに、本発明は、前記右接触部は、前記中央接触部若しくは前記右接触部に固定された右側軸受体に設けた右側軸を、前記中央接触部若しくは前記右接触部に設けた孔に挿入し、その右側軸に右ナットを螺合させることで、前記右側軸を回転軸として回動可能に設け、しかも、前記左接触部は、前記中央接触部若しくは前記左接触部に固定された左側軸受体に設けた左側軸を前記中央接触部若しくは前記左接触部に設けた孔に挿入し、その左側軸に左ナットを螺合させることで、前記左側軸を回転軸として回動可能に設けることを特徴としている。
【０００８】
さらに、本発明は、前記接触部材の前記右接触部、前記中央接触部及び左接触部のいずれにも、前記オイルパンとの間隔を一定に保持するローラーを設けたことを特徴としている。
【発明の効果】
【０００９】
本発明によれば、オイルパンの上面が凸曲面あるいは凹曲面になっていると、接触部材の中央接触部の左右に設けた右接触部及び左接触部がその凸曲面あるいは凹曲面に追随して回動してオイルパンと右接触部及び左接触部との間の間隔の発生が抑えられるので、オイルパン上の塵埃の取りこぼしを抑えることのできる乗客コンベア用オイルパン清掃装置がえられる。
【発明を実施するための最良の形態】
【００１０】
以下、本発明の一実施形態に係る乗客コンベア用オイルパン清掃装置を、図１〜図７に基づいて、詳説する。
【００１１】
本発明の一実施形態に係る乗客コンベア用オイルパン清掃装置１は、図１及び図２に示すように  乗客コンベアの踏段の取付軸２に連結する金属製の連結部材３と、この連結部材３に支持されて乗客コンベアの踏段の返り側の下方に配設されたオイルパン（油受板）４に接触する金属製の接触部材５とを、少なくとも備え、乗客コンベアの踏段を走行させることで、オイルパン４上を接触部材５が摺動してオイルパン４上の塵埃を掃き集めるようにしている。
【００１２】
接触部材５は、図１及び図３に示すように、連結部材３に支持された中央接触部５Ａと、この中央接触部５Ａの右側に延設する右接触部５Ｂと、中央接触部５Ａの左側に延設する左接触部５Ｃとに３分割すると共に、この右接触部５Ｂ及び左接触部５Ｃを、オイルパン４の上面形状に合わせて上下に回動するように中央接触部５Ａに回動可能に設ける構成にしてある。
【００１３】
右接触部５Ｂの中央接触部５Ａ側には、図１及び図３に示すように、右側軸受体６を固定して、この右側軸受体６に右側軸７を設ける。左接触部５Ｃの中央接触部５Ａ側には、図１及び図３に示すように、左側軸受体８を固定して、この左側軸受体８に左側軸９を設ける。右接触部５Ｂは、中央接触部５Ａの右端面側に設けた孔（図示せず）に右側軸７を挿入してその右側軸７に右ナット１０を螺合させることで、右側軸７を回転軸として回動可能に設けられる。左接触部５Ｃは、中央接触部５Ａの左端面側に設けた孔（図示せず）に左側軸９を挿入してその左側軸９に左ナット１１を螺合させることで、左側軸９を回転軸として回動可能に設けられる。
【００１４】
オイルパン４は、１．６mmの鋼板からなり、本体フレーム１２、１２Aに溶接した際、全体が凸状に湾曲して、図４に示すように、そのオイルパン４の上面が凸曲面４Ａとなったり、あるいは、全体が凹状に湾曲して、図５に示すように、そのオイルパン４の上面が凹曲面４Ｂとなったりする。
【００１５】
上記オイルパン４の凸曲面４Ａあるいは凹曲面４Ｂを、上記一実施形態の乗客コンベア用オイルパン清掃装置１で清掃する場合を、図６及び図７に基づき、説明する。
【００１６】
乗客コンベア用オイルパン清掃装置１により、オイルパン４の凸曲面４Ａを清掃している状態では、図６に示すように、接触部材５の右接触部５Ｂは、右側軸７を回転軸として下側（時計回り）に回動し、その右接触部５Ｂがオイルパン４の凸曲面４Ａに沿う状態になる。その結果、接触部材５の右接触部５Ｂとオイルパン４上との間の間隙の発生が抑えられる。また、接触部材５の左接触部５Ｃは、左側軸９を回転軸として下側（反時計回り）に回動し、その左接触部５Ｃがオイルパン４の凸曲面４Ａに沿う状態になる。その結果、接触部材５の左接触部５Ｃとオイルパン４上との間の間隙の発生が抑えられる。
【００１７】
さらに、乗客コンベア用オイルパン清掃装置１により、オイルパン４の凹曲面４Ｂを清掃している状態では、図７に示すように、接触部材５の右接触部５Ｂは、右側軸７を回転軸として上側（反時計回り）に回動し、その右接触部５Ｂがオイルパン４の凹曲面４Ｂに沿う状態になる。その結果、接触部材５の右接触部５Ｂとオイルパン４上との間の間隙の発生が抑えられる。また、接触部材５の左接触部５Ｃは、左側軸９を回転軸として上側（時計回り）に回動し、その左接触部５Ｃがオイルパン４の凹曲面４Ｂに沿う状態になる。その結果、接触部材５の左接触部５Ｃとオイルパン４上との間の間隙の発生が抑えられる。
【００１８】
以上のように、本発明の一実施形態に係る乗客コンベア用オイルパン清掃装置１よれば、オイルパン４の上面が凸曲面４Ａあるいは凹曲面４Ｂになっていると、接触部材５の中央接触部５Ａの左右に設けた右接触部５Ｂ及び左接触部５Ｃがその凸曲面４Ａあるいは凹曲面４Ｂに追随して回動してオイルパン４と右接触部５Ｂ及び左接触部５Ｃとの間の間隔の発生が抑えられるので、オイルパン４上の塵埃の取りこぼしを抑えることができる。
【００１９】
図８及び図９は、本発明の他実施形態に係る乗客コンベア用オイルパン清掃装置を示す。図８及び図９において、図１〜図７と同一符号は同一内容を表している。
【００２０】
図８及び図９に示す本発明の他実施形態に係る乗客コンベア用オイルパン清掃装置１００と、図１〜図７に示す本発明の一実施形態に係る乗客コンベア用オイルパン清掃装置１とは、前者が、接触部材５の中央接触部５Ａ、右接触部５Ｂ及び左接触部５Ｃのいずれにも、オイルパン４との間隔を一定に保持するローラー１０１を設けているのに対して、後者は、そのローラー１０１を設けていない点で相違しているのみであって、他の点では全く同一である。本発明の他実施形態に係る乗客コンベア用オイルパン清掃装置１００では、図８に示すように、中央接触部５Ａの下部、右接触部５Ｂの下部及び左接触部５Ｃの下部のそれぞれに、２個のローラー１０１を左右対称に設けるようにしてある。
【００２１】
上記他実施形態の乗客コンベア用オイルパン清掃装置１００によれば、接触部材５の中央接触部５Ａ、右接触部５Ｂ及び左接触部５Ｃは、ローラー１０１によって、オイルパン４上をより円滑に移動するようになるので、清掃作業性が向上させられる。
【００２２】
上記実施形態では、乗客コンベアをエスカレーターとしているが、これに限定されない。本発明の乗客コンベア用オイルパン清掃装置１は、動く歩道などのオイルパンを清掃する場合にも、適用できる。
【００２３】
上記実施形態では、右側軸７を設けた右側軸受体６を、前記右接触部５Ｂに設け、かつ、その右側軸７が挿入する孔を前記中央接触部５Ａに設けると共に、左側軸９を設けた左側軸受体８を、前記左接触部５Ｃに設け、かつ、その左側軸９が挿入する孔を前記中央接触部５Ａに設けるようにしているが、これに限定されない。右側軸７を設けた右側軸受体６を、前記中央接触部５Aに設け、かつ、その右側軸７が挿入する孔を前記右接触部５Ｂに設けると共に、左側軸９を設けた左側軸受体８を、前記中央接触部５Ａに設け、かつ、その左側軸９が挿入する孔を前記左接触部５Ｃに設けるようにしてもよい。
【図面の簡単な説明】
【００２４】
【図１】本発明の一実施形態に係る乗客コンベア用オイルパン清掃装置を乗客コンベアの踏段の取付軸に取り付けた状態を示す要部正面図である。
【図２】図１の側面図である。
【図３】図１の上面図である。
【図４】本発明の一実施形態に係るオイルパンの全体が凸状に湾曲した状態を示す図である。
【図５】本発明の一実施形態に係るオイルパンの全体が凹状に湾曲した状態を示す図である。
【図６】本発明の一実施形態に係る乗客コンベア用オイルパン清掃装置がオイルパンの凸曲面上を移動している状態を示す図である。
【図７】本発明の一実施形態に係る乗客コンベア用オイルパン清掃装置がオイルパンの凹曲面上を移動している状態を示す図である。
【図８】本発明の他実施形態に係る乗客コンベア用オイルパン清掃装置を乗客コンベアの踏段の取付軸に取り付けた状態を示す要部正面図である。
【図９】図８の要点拡大側面図である。
【図１０】従来例を示し、乗客コンベアの全体構成図である。
【図１１】従来例を示し、乗客コンベアの左右一対の踏段チェーン部分の要部拡大上面図である。
【図１２】従来の乗客コンベア用オイルパン清掃装置でオイルパンの凸曲面を清掃している状態の説明図である。
【図１３】従来の乗客コンベア用オイルパン清掃装置でオイルパンの凹曲面を清掃している状態の説明図である。
【符号の説明】
【００２５】
１    乗客コンベア用オイルパン清掃装置（一実施形態）
２    取付軸
３    連結部材
４    オイルパン
５    接触部材
５Ａ  中央接触部
５Ｂ  右接触部
５Ｃ  左接触部
６    右側軸受体
７    右側軸
８    左側軸受体
９    左側軸
１０  右側ナット
１１  左側ナット
１２、１２Ａ  本体フレーム
１００  乗客コンベア用オイルパン清掃装置（他実施形態）
１０１  ローラー
【図１】
0004541262.tif 000002
【図２】
0004541262.tif 000003
【図３】
0004541262.tif 000004
【図４】
0004541262.tif 000005
【図５】
0004541262.tif 000006
【図６】
0004541262.tif 000007
【図７】
0004541262.tif 000008
【図８】
0004541262.tif 000009
【図９】
0004541262.tif 000010
【図１０】
0004541262.tif 000011
【図１１】
0004541262.tif 000012
【図１２】
0004541262.tif 000013
【図１３】
0004541262.tif 000014